(57)【特許請求の範囲】
【請求項１】
スロットル吸気通路(１)を備えたスロットルボディ(２)と、スロットル吸気通路(１)に設けられたスロットル弁(３)と、燃料インジェクタ(１１)と、吸気圧センサ(１２)とを備え、スロットルボディ(２)の上部にインジェクタ取付座(１３)とセンサ取付筒(１４)とが設けられ、インジェクタ取付座(１３)に燃料インジェクタ(１１)が取り付けられ、センサ取付筒(１４)に吸気圧センサ(１２)が取り付けられ、センサ取付筒(１４)内に吸気圧導入室(１５)が設けられ、吸気圧導入室(１５)に吸気圧センサ(１２)が臨み、この吸気圧導入室(１５)のスロットル吸気通路(１)側の奥端に吸気圧導入口(１６)が設けられ、スロットル吸気通路(１)がスロットル弁(３)よりも下流側の下流側通路部分(１ｅ)を備え、吸気圧導入口(１６)を介して吸気圧導入室(１５)が下流側通路部分(１ｅ)に連通された、エンジンの吸気装置において、
インジェクタ取付座(１３)よりも吸気下流側にセンサ取付筒(１４)が設けられ、センサ取付筒(１４)をその中心軸線(１４ａ)と平行な向きに見て、吸気圧導入室 (１５)の奥端の吸気圧導入口(１６)が下流側通路部分(１ｅ)と連通状にオーバーラップし、
燃料インジェクタ(１１)から吸気ポート(１９)への燃料(１７)の噴射の全部または一部が、爆発行程(２１)と排気行程(２２)とを区画する下死点(２３)の前４０°から後３０°のクランク角範囲(２４)内で実施される、ことを特徴とするエンジンの吸気装置。
【請求項２】
請求項１に記載されたエンジンの吸気装置において、
スロットル吸気通路(１)の中心軸線(１ａ)に対するインジェクタ取付座(１３)の仰角(１３ａ)が４５°以上とされ、インジェクタ取付座(１３)から吸気上流側斜上向きに燃焼インジェクタ(１１)が突出されることにより、インジェクタ取付座(１３)の吸気下流側に、インジェクタ取付座(１３)と一体のセンサ取付筒(１４)が設けられている、ことを特徴とするエンジンの吸気装置。
【請求項３】
請求項１または請求項２に記載されたエンジンの吸気装置において、
スロットル吸気通路(１)の中心軸線(１ａ)に対する燃料インジェクタ(１１)の中心軸線(１１ａ)の噴射側延長線(１１ｂ)の俯角(１１ｃ)が４５°未満とされることにより、燃料インジェクタ(１１)から噴射された燃料(１７)がシリンダヘッド(１８)の吸気ポート(１９)を経てポペット型吸気弁(２０)の弁頭(２０ａ)を直撃するように構成されている、ことを特徴とするエンジンの吸気装置。
【発明の詳細な説明】
【技術分野】
【０００１】
本発明は、エンジンの吸気装置に関し、詳しくは、吸気圧センサの圧力検出精度を高めることができる、エンジンの吸気装置に関する。
【背景技術】
【０００２】
従来、エンジンの吸気装置として次のものがある(例えば、特許文献１参照)。
図７(Ａ)(Ｂ)及び図８(Ａ)(Ｂ)に示すように、スロットル吸気通路(１０１)を備えたスロットルボディ(１０２)と、スロットル吸気通路(１０１)に設けられたスロットル弁(１０３)と、燃料インジェクタ(１１１)と、吸気圧センサ(１１２)とを備え、スロットルボディ(１０２)の上部にインジェクタ取付座(１１３)とセンサ取付筒(１１４)とが設けられ、インジェクタ取付座(１１３)に燃料インジェクタ(１１１)が取り付けられ、センサ取付筒(１１４)に吸気圧センサ(１１２)が取り付けられ、センサ取付筒(１１４)内に吸気圧導入室(１１５)が設けられ、吸気圧導入室(１１５)に吸気圧センサ(１１２)が臨み、この吸気圧導入室(１１５)のスロットル吸気通路(１０１)側の奥端に吸気圧導入口(１１６)が設けられ、スロットル吸気通路(１０１)がスロットル弁(１０３)よりも下流側の下流側通路部分(１０１ｅ)を備え、吸気圧導入口(１１６)を介して吸気圧導入室(１１５)が下流側通路部分(１０１ｅ)に連通されたエンジンの吸気装置。
【０００３】
この種の吸気装置によれば、燃料インジェクタ(１１１)からスロットル吸気通路(１０１)に噴射された燃料(図外)が吸気圧導入室(１１５)で凝縮し、燃料による吸気圧センサ(１１２)の汚染が抑制される利点がある。
【０００４】
しかし、この従来技術では、図７(Ａ)(Ｂ)及び図８(Ａ)(Ｂ)に示すように、インジェクタ取付座(１１３)よりも吸気上流側にセンサ取付筒(１１４)が設けられ、図７(Ａ)に示すように、センサ取付筒(１１４)をその中心軸線(１１４ａ)と平行な向きに見て、吸気圧導入室(１１５)の奥端がスロットル吸気通路(１０１)からずれた位置に設けられ、図８(Ａ)(Ｂ)に示すように、吸気圧導入口(１１６)が吸気圧導入通路(１０９)を介して下流側通路部分(１０１ｅ)と連通され、吸気圧導入通路(１０９)がスロットル吸気通路(１０１)の周壁に形成されているため、問題がある。
【先行技術文献】
【特許文献】
【０００５】
【特許文献１】特開２００８−３８６６５号公報(図３〜図５参照)
【発明の概要】
【発明が解決しようとする課題】
【０００６】
《問題点》  吸気圧センサの圧力検出精度が低かった。
図８(Ａ)(Ｂ)に示すように、吸気圧導入口(１１６)が吸気圧導入通路(１０９)を介して下流側通路部分(１０１ｅ)と連通され、吸気圧導入通路(１０９)がスロットル吸気通路(１０１)の周壁に形成されているため、吸気圧導入通路(１０９)の内径がスロットル吸気通路(１０１)の周壁の肉厚の制約を受け、小さくなる。このため、吸気圧導入通路(１０９)の絞り抵抗により、下流側通路部分(１０１ｅ)の圧力変動が、吸気圧導入室(１１５)に伝わりにくく、吸気圧センサ(１１２)の圧力検出精度が低かった。
【０００７】
本発明の課題は、吸気圧センサの圧力検出精度を高めることができる、エンジンの吸気装置を提供することにある。
【課題を解決するための手段】
【０００８】
請求項１に係る発明の発明特定事項は、次の通りである。
図１(Ａ)〜(Ｃ)に例示するように、スロットル吸気通路(１)を備えたスロットルボディ(２)と、スロットル吸気通路(１)に設けられたスロットル弁(３)と、燃料インジェクタ(１１)と、吸気圧センサ(１２)とを備え、スロットルボディ(２)の上部にインジェクタ取付座(１３)とセンサ取付筒(１４)とが設けられ、インジェクタ取付座(１３)に燃料インジェクタ(１１)が取り付けられ、センサ取付筒(１４)に吸気圧センサ(１２)が取り付けられ、センサ取付筒(１４)内に吸気圧導入室(１５)が設けられ、吸気圧導入室(１５)に吸気圧センサ(１２)が臨み、この吸気圧導入室(１５)のスロットル吸気通路(１)側の奥端に吸気圧導入口(１６)が設けられ、スロットル吸気通路(１)がスロットル弁(３)よりも下流側の下流側通路部分(１ｅ)を備え、吸気圧導入口(１６)を介して吸気圧導入室(１５)が下流側通路部分(１ｅ)に連通された、エンジンの吸気装置において、
図１(Ａ)に例示するように、インジェクタ取付座(１３)よりも吸気下流側にセンサ取付筒(１４)が設けられ、センサ取付筒(１４)をその中心軸線(１４ａ)と平行な向きに見て、吸気圧導入室(１５)の奥端の吸気圧導入口(１６)が下流側通路部分(１ｅ)と連通状にオーバーラップし、
図３(Ａ)(Ｂ)に例示するように、燃料インジェクタ(１１)から吸気ポート(１９)への燃料(１７)の噴射の全部または一部が、爆発行程(２１)と排気行程(２２)とを区画する下死点(２３)の前４０°から後３０°のクランク角範囲(２４)内で実施される、ことを特徴とするエンジンの吸気装置。
【発明の効果】
【０００９】
(請求項１に係る発明)
請求項１に係る発明は、次の効果を奏する。
《効果》  吸気圧センサの圧力検出精度を高めることができる。
図１(Ａ)に例示するように、インジェクタ取付座(１３)よりも吸気下流側にセンサ取付筒(１４)が設けられ、センサ取付筒(１４)をその中心軸線(１４ａ)と平行な向きに見て、吸気圧導入室(１４)の奥端の吸気圧導入口(１６)が下流側通路部分(１ｅ)と連通状にオーバーラップしているので、スロットル吸気通路(１)の周壁の肉厚の制約を受ける吸気圧導入通路を介することなく、吸気圧導入口(１６)を下流側通路部分(１ｅ)に連通させることができる。このため、大きな絞り抵抗を受けることなく、下流側通路部分(１ｅ)の圧力変動が、吸気圧導入室(１５)に速やかに伝わり、吸気圧センサ(１２)の圧力検出精度を高めることができる。
《効果》  噴射された燃料の気化が促進される。
図３(Ａ)(Ｂ)に例示するように、燃料インジェクタ(１１)から吸気ポート(１９)への燃料(１７)の噴射の全部または一部が、爆発行程(２１)と排気行程(２２)とを区画する下死点(２３)の前４０°から後３０°のクランク角範囲(２４)内で実施されるので、燃焼室(２５)の燃焼熱や排気熱がシリンダヘッド(１８)を介して噴射された燃料(１７)に伝わり、噴射された燃料(１７)の気化が促進される。
【００１０】
(請求項２に係る発明)
請求項２に係る発明は、請求項１に係る発明の効果に加え、次の効果を奏する。
《効果》  スロットルボディがコンパクトになる。
図３(Ａ)に例示するように、インジェクタ取付座(１３)の吸気下流側に、インジェクタ取付座(１３)と一体のセンサ取付筒(１４)が設けられているので、スロットルボディ(２)がコンパクトになる。
【００１１】
(請求項３に係る発明)
請求項３に係る発明は、請求項１または請求項２に係る発明の効果に加え、次の効果を奏する。
《効果》  噴射された燃料の気化が促進されるとともに、吸気弁の熱損傷が抑制される。
図３(Ａ)に例示するように、燃料インジェクタ(１１)から噴射された燃料(１７)がシリンダヘッド(１８)の吸気ポート(１９)を経てポペット型の吸気弁(２０)の弁頭(２０ａ)を直撃するように構成されているので、燃焼室(２５)の熱が弁頭(２０ａ)を介して噴射された燃料(１７)に供給され、噴射された燃料(１７)の気化が促進されるとともに、吸気弁(２０)の熱損傷が抑制される。
【００１２】
【図面の簡単な説明】
【００１３】
【図１】本発明の実施形態に係るエンジンの吸気装置を説明する図で、図１(Ａ)はスロットルボディの平面図、図１(Ｂ)は図１(Ａ)のＢ方向矢視図、図１(Ｃ)は図１(Ａ)のＣ−Ｃ線断面図である。
【図２】本発明の実施形態に係るエンジンの吸気装置を説明する図で、シリンダヘッドとスロットルボディとエアクリーナ奥端ケースの横断平面図である。
【図３】図３(Ａ)は図２のIII−III線断面図、図３(Ｂ)は燃料噴射時期の説明図である。
【図４】図４(Ａ)はエアクリーナ奥端ケースとスロットルボディとを正面から見た図、図４(Ｂ)は図４(Ａ)のＢ−Ｂ線断面図である。
【図５】図１の吸気装置を備えたエンジンの側面図である。
【図６】図５のエンジンの縦断側面図である。
【図７】従来技術に係るエンジンの吸気装置を説明する図で、図７(Ａ)はスロットルボディの平面図、図７(Ｂ)はスロットルボディの側面図である。
【図８】図７の吸気装置を説明する図で、図８(Ａ)は図７(Ａ)のVIII−VIII線断面図、図８(Ｂ)はスロットルボディの縦断側面図である。
【発明を実施するための形態】
【００１４】
図１〜図６は本発明の実施形態に係るエンジンの吸気装置を説明する図であり、この実施形態では、立形の水冷直列２気筒火花点火式ガソリンエンジンについて説明する。
【００１５】
本発明の実施形態の概要は、次の通りである。
図５に示すように、シリンダブロック(２６)の上部にシリンダヘッド(１８)を組み付け、シリンダヘッド(１８)の上部にシリンダヘッドカバー(２７)を組み付けている。シリンダブロック(２６)の下部にはオイルパン(２８)を組み付けている。シリンダブロック(２６)の前部にはギヤケース(２９)を組み付け、ギヤケース(２９)の前部にはベルトケース(３０)を組み付けている。ベルトケース(３０)の前部にはエンジン冷却ファン(３１)を配置している。シリンダブロック(２６)の後部にはフライホイール(３２)を配置している。シリンダヘッド(１８)の手前(右側)にはスロットルボディ(２)を介してエアクリーナ(４７)を組み付けている。シリンダブロック(２６)の手前にはメカニカルガバナのガバナレバー(３３)とガバナスプリング(３４)とを配置している。このエンジンは、電子燃料噴射装置を備えている。
【００１６】
このエンジンの電子燃料噴射装置の概要は、次の通りである。
図２に示すように、シリンダヘッド(１８)に設けた吸気ポート(１９)内に燃料インジェクタ(１１)から燃料(１７)(１７)を噴射する。スロットルボディ(２)にスロットル弁(３)と燃料インジェクタ(１１)を取り付けている。スロットル弁(３)はメカニカルガバナのガバナレバー(３３)に連動連結している。スロットル弁(３)の吸気下流側の吸気圧を検出する吸気圧センサ(１２)と、エンジン回転数センサ(３５)と、制御手段(３６)とを設け、吸気圧センサ(１２)とエンジン回転数センサ(３５)とを制御手段(３６)を介して燃料インジェクタ(１１)に連携させ、吸気圧センサ(１２)で検出した吸気圧と、エンジン回転数センサ(３５)で検出したエンジン回転数とに基づいて、演算された吸気量に応じ、制御手段(３６)が燃料インジェクタ(１１)からの燃料噴射量を調節する。燃料(１７)には、ガソリンを用いているが、他の液体燃料や、液化ガス燃料を用いることもできる。液体燃料とは、常温常圧下(１５°Ｃ〜２０°Ｃ、７６０ｍｍＨｇ)で液体の燃料をいい、液化ガス燃料とは、常温常圧下ではガスであるが、加圧下で液体の燃料をいう。
【００１７】
電子燃料噴射装置の詳細は、次の通りである。
図３(Ａ)に示すように、燃料インジェクタ(１１)は、スロットルボディ(２)の上部に取り付けられている。図２に示すように、燃料インジェクタ(１１)は、燃料タンク(３７)内に設けた燃料圧送ポンプ(３８)に接続されている。燃料インジェクタ(１１)には燃料タンク(３７)から燃料圧送ポンプ(３８)により燃料が圧送される。そして、制御手段(３６)で燃料インジェクタ(１１)からの燃料噴射期間を制御することにより、燃料噴射量が調節される。制御手段(３６)はマイクロコンピュータである。制御手段(３６)は点火時期も制御する。
【００１８】
図２に示すように、気筒中心軸線(３９)(４０)と平行な向きに見て、２本の気筒(６)(７)の配列方向を前後方向、これと直交するシリンダヘッド(１８)の幅方向を左右方向として、隣り合う前後の気筒(６)(７)の一対に対して、一のスロットルボディ(２)を用い、このスロットルボディ(２)をシリンダヘッド(１８)の横一側(右側)に配置し、このスロットルボディ(２)に一のスロットル吸気通路(１)と一のスロットル弁(３)とを設けている。上記前後の気筒(６)(７)の各弁口(６ａ)(７ａ)の間からスロットル吸気通路(１)に向けて中央吸気ポート壁(４１)を導出し、この中央吸気ポート壁(４１)の前後に形成される吸気ポート(１９)を介して、上記各弁口(６ａ)(７ａ)を上記スロットル吸気通路(１)に連通させている。
【００１９】
図２、図３(Ａ)に示すように、前記スロットルボディ(２)に燃料インジェクタ(１１)を取り付けている。一のスロットルボディ(２)に対し、一の燃料インジェクタ(１１)を用いている。図２に示すように、燃料インジェクタ(１１)の先端部を先方の中央吸気ポート壁(４１)に向け、この燃料インジェクタ(１１)の先端部に前後の燃料噴射孔を配置し、これら前後の燃料噴射孔から前後に分けて噴射した燃料(１７)を、それぞれ中央吸気ポート壁(４１)の前後で、吸気ポート(１９)の内壁面に衝突させるようにしている。燃料(１７)は、前後の燃料噴射孔から同時に噴射される。
【００２０】
図３(Ａ)に示すように、気筒軸線(３９)(４０)の方向を上下方向、シリンダヘッドカバー(２７)のある方を上、シリンダブロック(２６)のある方を下とし、クランク軸(４２)の架設方向と平行な向きから見て、燃料(１７)は、吸気ポート(１９)のポート入口(１９ａ)から吸気ポート(１９)に斜め下向きに噴射され、吸気ポート(１９)の内壁面の下部に斜め上から衝突する。
【００２１】
図２に示すように、中央吸気ポート壁(４１)は、スロットル吸気通路(１)に近づくにつれてその左右方向の幅が次第に狭くなるようにしている。吸気ポート(１９)を、単一の吸気ポート入口(１９ａ)から相互に隣り合う前後の気筒(６)(７)の各吸気弁口(６ａ)(７ａ)に向かうＶ字形の分岐構造としている。そして、前後の燃料噴射孔から前後に分けて同時に噴射した燃料(１７)(１７)は、それぞれ中央吸気ポート壁(４１)の前後で、前後の分岐ポート部分(４３)(４４)の内壁面に衝突する。このエンジンは、２気筒で吸気ポート(１９)が分岐しているため、インテークマニホルドを用いる必要がない。
【００２２】
図１(Ａ)〜(Ｃ)に示すように、このエンジンは、スロットル吸気通路(１)を備えたスロットルボディ(２)と、スロットル吸気通路(１)に設けられたスロットル弁(３)と、燃料インジェクタ(１１)と、吸気圧センサ(１２)とを備え、スロットルボディ(２)の上部にインジェクタ取付座(１３)とセンサ取付筒(１４)とが設けられ、インジェクタ取付座(１３)に燃料インジェクタ(１１)が取り付けられ、センサ取付筒(１４)に吸気圧センサ(１２)が取り付けられ、センサ取付筒(１４)内に吸気圧導入室(１５)が設けられ、吸気圧導入室(１５)に吸気圧センサ(１２)が臨み、この吸気圧導入室(１５)のスロットル吸気通路(１)側の奥端に吸気圧導入口(１６)が設けられ、スロットル吸気通路(１)がスロットル弁(３)よりも下流側の下流側通路部分(１ｅ)を備え、吸気圧導入口(１６)を介して吸気圧導入室(１５)が下流側通路部分(１ｅ)に連通されている。
【００２３】
図１(Ａ)に示すように、インジェクタ取付座(１３)よりも吸気下流側にセンサ取付筒(１４)が設けられ、センサ取付筒(１４)をその中心軸線(１４ａ)と平行な向きに見て、吸気圧導入室(１５)の奥端の吸気圧導入口(１６)が下流側通路部分(１ｅ)と連通状にオーバーラップしている。
これにより、スロットル吸気通路(１)の周壁の肉厚の制約を受ける吸気圧導入通路を介することなく、吸気圧導入口(１６)を下流側通路部分(１ｅ)に連通させることができる。このため、大きな絞り抵抗を受けることなく、下流側通路部分(１ｅ)の圧力変動が、吸気圧導入室(１５)に速やかに伝わり、吸気圧センサ(１２)の圧力検出精度を高めることができる。
吸気圧センサ(１２)は、吸気温度を検出する機能も備えている。このため、上記構成により、下流側通路部分(１ｅ)の吸気温度の変動が、吸気圧導入室(１５)に速やかに伝わり、吸気圧センサ(１２)の温度検出精度も高まる。
【００２４】
図３(Ａ)に示すように、スロットル吸気通路(１)の中心軸線(１ａ)に対するインジェクタ取付座(１３)の仰角(１３ａ)が４５°以上とされ、インジェクタ取付座(１３)から吸気上流側斜上向きに燃焼インジェクタ(１１)が突出されることにより、インジェクタ取付座(１３)の吸気下流側に、インジェクタ取付座(１３)と一体のセンサ取付筒(１４)が設けられている。
これにより、スロットルボディ(２)がコンパクトになる。
この実施形態では、仰角(１３ａ)は６０°とされている。
【００２５】
図３(Ａ)に示すように、スロットル吸気通路(１)の中心軸線(１ａ)に対する燃料インジェクタ(１１)の中心軸線(１１ａ)の噴射側延長線(１１ｂ)の俯角(１１ｃ)が４５°未満とされることにより、燃料インジェクタ(１１)から噴射された燃料(１７)がシリンダヘッド(１８)の吸気ポート(１９)を経てポペット型吸気弁(２０)の弁頭(２０ａ)を直撃するように構成されている。
これにより、燃焼室(２５)の熱が弁頭(２０ａ)を介して噴射された燃料(１７)に供給され、噴射された燃料(１７)の気化が促進されるとともに、吸気弁(２０)の熱損傷が抑制される。
この実施形態では、俯角(１１ｃ)は３０°とされている。
【００２６】
図３(Ａ)(Ｂ)に示すように、燃料インジェクタ(１１)から吸気ポート(１９)への燃料(１７)の噴射の全部または一部が、爆発行程(２１)と排気行程(２２)とを区画する下死点(２３)の前４０°から後３０°のクランク角範囲(２４)内で実施される。
これにより、燃焼室(２５)の燃焼熱や排気熱がシリンダヘッド(１８)を介して噴射された燃料(１７)に伝わり、噴射された燃料(１７)の気化が促進される。
【００２７】
図３(Ｂ)に示すように、このエンジンは４サイクル式直列２気筒の構造で、クランクピン角度を３６０°とし、１サイクル中、各気筒(６)(７)の爆発行程(２１)と排気行程(２２)とを区画する下死点(２３)の前４０°から後３０°のクランク角範囲(２４)内で燃料インジェクタ(１１)から吸気ポート(１９)への燃料(１７)の噴射の全部または一部が実施される。この燃料(１７)の噴射は、１サイクル中２回、クランク角度３６０°の位相差で開始される。燃料噴射量の調節と同様、吸気圧センサ(１２)で検出した吸気圧と、エンジン回転数センサで検出したエンジン回転数とに基づいて、制御手段(１１)が燃料噴射の開始の時期を調節する。なお、図６中の符号(４２)はクランク軸、(４５)(４６)はクランクピンである。
【００２８】
図４(Ａ)または図２に示すように、このエンジンは、スロットル吸気通路(１)を備えたスロットルボディ(２)と、スロットル吸気通路(１)に設けられたスロットル弁(３)と、スロットル吸気通路(１)にブローバイガス(４)を導入するブローバイガス通路(５)とを備えている。
【００２９】
図４(Ａ)に示すように、スロットル吸気通路(１)の中心軸線(１ａ)と平行な向きに見て、ブローバイガス通路(５)の通路出口(５ａ)が、スロットル吸気通路(１)の通路入口(１ｂ)とオーバーラップする位置で、スロットル吸気通路(１)の通路入口(１ｂ)に向けられている。このため、ブローバイガス通路(５)の通路出口(５ａ)に作用するスロットル吸気通路(１)の吸引力が強く、スロットル吸気通路(１)の通路入口(１ｂ)付近でのエンジンオイルの凝集を抑制することができる。これにより、スロットル吸気通路(１)の通路入口(１ｂ)付近がエンジンオイルで汚染されにくい。
【００３０】
図４(Ａ)に示すように、スロットル吸気通路(１)内に架設されたスロットル弁軸(３ａ)の架設部分の一端部を軸一端部(３ｂ)として、スロットル吸気通路(１)の中心軸線(１ａ)と平行な向きに見て、スロットル吸気通路(１)の通路入口周縁部(１ｃ)のうちの軸一端部(３ｂ)寄りの部分(１ｄ)から、ブローバイガス通路(５)の通路出口周壁(５ｂ)が、スロットル吸気通路(１)の通路入口(１ｂ)に向けて導出され、この通路出口周壁(５ｂ)が、軸一端部(３ｂ)とオーバーラップしている。これにより、ブローバイガス通路(５)の通路出口周壁(５ｂ)による吸気抵抗の増加量は小さく、これに起因する吸気不足を防止することができる。
図５に示すように、ブローバイガス通路(５)はブリーザパイプ(４９)を介してシリンダヘッドカバー(２７)のブリーザ室(４８)と連通している。
【００３１】
図２に示すように、複数の気筒(６)(７)が前後方向に並べられた多気筒エンジンに用いられ、前後方向に向けられたスロットル弁軸(３ａ)がスロットルボディ(２)に取り付けられている。このため、スロットル弁(３)、スロットル弁軸(３ａ)、ブローバイガス通路(５)の通路出口周壁(５ｂ)によって吸気(８)が前後に偏向されにくく、これに起因する気筒間(６)(７)の吸気量のばらつきを防止することができる。これにより、出力低下や排気ガスの悪化が抑制される。
【符号の説明】
【００３２】
(１) スロットル吸気通路
(１ａ) 中心軸線
(１ｅ) 下流側通路部分
(２) スロットルボディ
(３) スロットル弁
(１１) 燃料インジェクタ
(１１ａ) 中心軸線
(１１ｂ) 噴射側延長線
(１１ｃ) 俯角
(１２) 吸気圧センサ
(１３) インジェクタ取付座
(１３ａ) 仰角
(１４) センサ取付筒
(１４ａ) 中心軸線
(１５) 吸気圧導入室
(１６) 吸気圧導入口
(１７) 燃料
(１８) シリンダヘッド
(１９) 吸気ポート
(２０) ポペット型吸気弁
(２０ａ) 弁頭
(２１) 爆発行程
(２２) 排気行程
(２３) 下死点
(２４) クランク角範囲
【図１】
0006012554.tif 000002
【図２】
0006012554.tif 000003
【図３】
0006012554.tif 000004
【図４】
0006012554.tif 000005
【図５】
0006012554.tif 000006
【図６】
0006012554.tif 000007
【図７】
0006012554.tif 000008
【図８】
0006012554.tif 000009